(57)【要約】【課題】身体の一部を効率よく痩身効果を得ることができ、装置を安全に使用することができる部分やせ装置を提供する。【解決手段】超音波を身体の所定部分に照射するための超音波装置と、所定部分に塗布するジェル剤とを備え、超音波装置は、高周波電流を発生させる高周波電流発生装置と、高周波電流によって周波数が５００〜５３０キロヘルツの超音波を発生・照射させる超音波照射装置と、照射させる超音波の周波数を調節する周波数調節装置とを備える。また、所定部分の温度を測定する温度測定装置及び所定部分の体脂肪を測定する体脂肪測定装置を備える。また、ジェル剤にはトウガラシのエキス成分を含有させた。【選択図】　図１
2004089261.tif 000002
【特許請求の範囲】
【請求項１】
超音波を身体の所定部分に照射するための超音波装置と、該所定部分に塗布するジェル剤とを備え、前記超音波装置は、高周波電流を発生させる高周波電流発生装置と、該高周波電流によって周波数が５００〜５３０キロヘルツの超音波を発生・照射させる超音波照射装置と、照射させる超音波の周波数を調節する周波数調節装置とを備えたことを特徴とする部分痩せ装置。
【請求項２】
前記超音波照射装置が、ベルト状部材と、該ベルト状部材に取り付けられた複数個の超音波照射装置とからなることを特徴とする請求項１に記載の部分痩せ装置。
【請求項３】
前記所定部分の温度を測定する温度測定装置を備え、該温度測定装置は温度センサーを備え、前記超音波照射装置の照射面側には該温度センサーが設けられていることを特徴とする請求項１又は２に記載の部分痩せ装置。
【請求項４】
前記所定部分の体脂肪を測定する体脂肪測定装置を備え、該体脂肪測定装置は体脂肪測定センサーを備え、前記超音波照射装置の照射面側には該体脂肪測定センサーが設けられていることを特徴とする請求項１〜３のいずれかに記載の部分痩せ装置。
【請求項５】
前記ジェル剤にはトウガラシのエキス成分が含有されていることを特徴とする請求項１〜４のいずれかに記載の部分痩せ装置。
【発明の詳細な説明】
【０００１】
【発明の属する技術分野】
本発明は、身体の一部に超音波を照射し、痩身効果を得ることが可能な部分痩せ装置に関する。
【０００２】
【従来の技術】
痩身効果を得ることができる発明に関しては、多くのものが開発及び提案されている。それらを大きく分類すると、器具を使用して痩身効果を得る発明と、飲食物を体内に吸収させて痩身効果を得る発明の２つに分類される。また、器具を使用して痩身効果を得る発明については、体重を減少させる器具と、体の一部分を痩身させる器具の２つがほとんどを占めている。
【０００３】
体重を減少することができる器具に関するものは、その器具を使用して運動することにより、カロリーが消費されて痩身効果を得るというものが多い。これらの器具は、運動するための施設や専門的な器具の代用品として使用するもので、そのほとんどが器具の形状や構造に特徴がある。
【０００４】
また、部分的に痩身効果が得られる器具に関するものは、痩せたいと思う部分にその器具を使用し、部分的に痩身させるものである。これらの器具は、低周波電気、高周波電気、圧力、振動、温熱などを使用したものが多い。
【０００５】
【発明が解決しようとする課題】
しかし、上記した体重を減少させる器具は、結局のところ器具を使用して運動をしなければならない。そして、体重を減少させるほどの効果を得るためには、個人差を考慮してもある程度の時間及び期間をかけなければ痩身効果が得られないという問題がある。よって、器具を使用した誰もが簡単に痩身効果を得ることができないという問題があった。
【０００６】
また、部分的に痩身効果を得る器具は、誰でも簡単に使用することができるが、その器具の性質や特徴などを正確に把握しにくい。例えば、器具の使用時間が決められているのに、より痩身効果を得ようとして長時間使用した結果、ケガをしてしまうという問題がある。また、間違った使い方をして、痩身効果を得られないばかりか、ケガをしてしまうという問題があった。
【０００７】
また、従来の痩身効果を得られる器具は、使用者がその器具の効果を認識しにくいという問題がある。
【０００８】
以上のことから、効率よく痩身効果を得ることができ、専門的知識を有さなくても器具を安全に使用することができ、誰もが簡単に痩身効果を認識することができる部分やせ装置の開発が望まれていた。
【０００９】
【課題を解決するための手段】
上記課題を解決するため本発明に係る部分痩せ装置は、超音波を身体の所定部分に照射するための超音波装置と、所定部分に塗布するジェル剤とを備え、超音波装置は、高周波電流を発生させる高周波電流発生装置と、高周波電流によって周波数が５００〜５３０キロヘルツの超音波を発生・照射させる超音波照射装置と、照射させる超音波の周波数を調節する周波数調節装置とを備えたことを特徴とする。
【００１０】
また、超音波照射装置が、ベルト状部材と、ベルト状部材に取り付けられた複数個の超音波照射装置とを備えていても良い。
【００１１】
また、本発明に係る部分痩せ装置は、所定部分の温度を測定する温度測定装置を備え、温度測定装置は温度センサーを備え、超音波照射装置の照射面側には該温度センサーが設けられていても良い。
【００１２】
また、本発明に係る部分痩せ装置は、所定部分の体脂肪を測定する体脂肪測定装置を備え、体脂肪測定装置は体脂肪測定センサーを備え、超音波照射装置の照射面側には体脂肪測定センサーが設けられていても良い。
【００１３】
また、ジェル剤にはトウガラシのエキス成分が含有されていても良い。
【００１４】
【発明の実施の形態】
本発明に係る部分痩せ装置２について、図を参照にしながら説明する。図２は、本発明に係る部分痩せ装置２の一実施の形態を示した説明図である。なお、これらの図は本発明を説明するためのものであって、本発明を何ら限定するものではない。
【００１５】
本発明に係る部分痩せ装置２は、超音波を身体の所定部分に照射するための超音波装置４と、所定部分に塗布するジェル剤３４とからなることを特徴とする。
【００１６】
超音波装置４は、高周波電流を発生させる高周波電流発生装置６と、超音波を発生・照射させる超音波照射装置８と、照射させる超音波の周波数を調節する周波数調節装置１２とを備えている。
【００１７】
ここで、超音波の周波数は５００〜５３０キロヘルツの範囲内が好ましい。具体的には５１７キロヘルツが更に好ましいが、この数値以外の周波数であっても、皮膚や身体面など生体に対する影響を考慮して適宜設定することが可能である。また、周波数をこの範囲内で照射する場合は、照射時間は１０分前後使用するのが好ましい。
【００１８】
本発明に係る高周波電流発生装置６は、電源から高周波電流を発生させ、高周波電流を超音波照射装置に供給するものである。この高周波電流発生装置６は、特別な装置は必要なく、一般的に製造販売されているものであっても使用可能である。
【００１９】
また、本発明に係る周波数調節装置１２は、高周波電流発生装置６で発生される高周波電流の周波数及び出力を調節するものであり、この周波数調節装置１２によって超音波の出力及び周波数などを任意に設定及び変更可能である。周波数調節装置１２は調節目盛りを備え、この調節目盛りによって超音波の出力及び周波数などを使用者が設定及び変更する。この調節目盛りの形状および構造は、特に限定せず適宜設定すれば良い。
【００２０】
また、本発明に係る超音波照射装置８は、高周波電流発生装置６が発生した高周波電流によって振動子を振動させて超音波を発生させるものである。また、振動子によって発生した超音波は、超音波照射装置８の照射面において身体に照射される。
【００２１】
超音波照射装置８の材料としては、電気絶縁材料などで形成されるのが好ましいが、種々の条件を考慮して適宜設定すれば良い。また、超音波照射装置８の形状や構造については特に限定しないが、例えば、片手又は両手で握ることができるハンドル部を有する形状が良い。
【００２２】
このハンドル部を有する形状の場合は、片手又は両手で握ることができるハンドル部とハンドル部の先端部近傍に超音波を照射する照射部を設ける形状が良い。即ち、超音波照射装置８を片手又は両手で操作することにより、身体のどの部分であっても超音波を照射が可能なため、身体のどの箇所でも痩身効果を得ることができる。
【００２３】
照射部の材料としては、アルミニウム、チタン、ジェラルミン、ステンレス鋼などの金属を使用するのが良いが、その他の材料であっても使用可能である。また、照射部の表面にハードクロムメッキなどの耐摩耗性塗料などを塗布しても良い。
【００２４】
また、超音波照射装置８は、ベルト状部材１０と、ベルト状部材１０に取り付けられた複数個の超音波照射装置８とからなる構造であっても良い。図３は、本発明に係る超音波照射装置８の一実施の形態を示した説明図である。前記したハンドル部を有する超音波照射装置８では広範囲に使用することは困難である。これに対し、図３に示された超音波照射装置８は、ベルト状部材１０を身体に巻回し、広範囲に効率よく超音波を照射できるものである。
【００２５】
このベルト状部材１０は、伸縮性を有する材料で形成されているのが好ましい。ベルト状部材１０の形状などは適宜設定すれば良いが、ベルト状部材１０の長さについては十分に注意して設定する必要がある。具体的には、一般的成人男性の胴回りでも巻回可能な程度の長さを有するのが好ましい。また、ベルト状部材１０の両端近傍にはマジックテープ（登録商標）などの連結保持部材を設け、ベルト状部材１０の巻回状態を保持できる構造になっていると更に良い。
【００２６】
また、本発明に係る部分痩せ装置２には、温度測定装置１４が設けられ、温度測定装置１４には、温度センサー１６が備えられていることを特徴とする。図４は、本発明に係る超音波照射装置８の照射面側を示した説明図である。この温度センサー１６は、超音波照射装置８の照射面側に設けられ、超音波を照射する箇所の表面温度を測定が可能である。この温度センサー１６は、特別なものである必要ななく、一般的に製造販売されているものを使用することができる。
【００２７】
この温度測定装置１６は、温度センサー１６が超音波を照射している箇所を測定しているときに、超音波を照射している箇所が温度測定装置１４に予め設定された温度に達すると、超音波の照射を自動的に停止する機能を有していても良い。また、超音波を照射している箇所が、温度測定装置１４に予め設定された温度に達すると、超音波の出力や周波数を低減する機能を有していても良い。
【００２８】
また、本発明に係る部分痩せ装置２には、体脂肪測定装置１８が設けられ、体脂肪測定装置１８には、体脂肪測定センサー２０を備えていることを特徴とする。体脂肪測定センサー２０は、身体の皮下脂肪の厚さを測定できるものである。この体脂肪測定センサー２０についても一般的に製造販売されているものを使用することができる。
【００２９】
この体脂肪測定装置１８は、超音波照射装置８及び温度測定装置１６と同時に使用される必要はなく、体脂肪測定器として単独で使用できる構造になっていても良い。
【００３０】
また、体脂肪測定装置８は、超音波を照射するときに、体脂肪測定センサー２０で皮下脂肪層を測定しながら、その脂肪層に適した超音波の出力や周波数を算出し、超音波の周波数及び出力を自動的に変更させて効果的に超音波を照射することができる構造になっていても良い。
【００３１】
また、本発明に係る部分痩せ装置２には、電源のオンオフ、超音波の周波数及び出力、温度センサー１６が測定している超音波照射箇所の温度や、体脂肪促成センサー２０が測定した皮下脂肪層や、使用時間、危険信号や注意信号などの情報を視認できるモニターを備えていても良い。
【００３２】
また、本発明に係る部分痩せ装置２は、超音波を照射する箇所に予めジェル剤３４を塗布することを特徴とする。このジェル剤３４には、トウガラシのエキス成分が含有されていることを特徴とする。
【００３３】
トウガラシのエキス成分の中には、カプサイシンが含まれており、このカプサイシンを皮膚表面に塗布すると新陳代謝が活発になり発汗作用を促すことが知られている。よって、本発明に係る部分痩せ装置２は、トウガラシのエキス成分を含有したジェル剤３４と超音波の照射によって効果的に痩身効果を得ようとするものである。トウガラシの種類は青トウガラシが良いが、他の種類でも使用可能である。
【００３４】
また、ジェル剤３４としては、医薬品や化粧品として一般的に用いられているものを使用可能であり、その成分などは特に限定しない。
【００３５】
次に、本発明に係る部分痩せ装置２の回路について説明する。図１は、本発明に係る部分痩せ装置２の一実施の形態を示した回路図である。超音波装置４内には、高周波電流発生制御装置６、温度測定装置１４、体脂肪測定装置１８の電源２２のオンオフを制御する電源制御回路２４と、超音波振動子に高周波電流を送る高周波発生制御回路２６と、温度センサー１６を制御する温度センサー制御回路３０と、体脂肪測定センサー２０を制御する体脂肪測定センサー制御回路３２を備えている。
【００３６】
電源制御回路２４は、高周波発生制御回路２６、温度センサー制御回路３０、体脂肪測定センサー制御回路３２の電源２２の入切を制御できる回路である。この電源制御回路２４は、すべての電源２２を一括して制御しても良いし、個別の装置ごとに電源２２を制御しても良い。
【００３７】
高周波発生制御回路２６は、高周波電流を発生する回路であり、周波数制御回路２８が接続されている。この周波数制御回路２８は、使用者が調節目盛りを調節して超音波を任意の周波数及び出力に設定又は変更したとき、高周波電流の周波数や出力に関する制御信号を高周波発生制御回路２６に送る。
【００３８】
また、温度センサー１６は、温度センサー制御回路３０を介して電源制御回路２４と接続され、温度センサー制御回路３０は、温度センサー１６によって超音波の照射箇所の温度を測定する。
【００３９】
温度センサー制御回路３０には、超音波を照射している箇所が所定温度以上に上昇すると人体に悪影響であるという危険温度が予め設定されている。温度センサー制御回路３０は、超音波照射箇所が危険温度に達したことを感知すると、温電源制御回路２４に信号を送り、高周波発生制御回路２６への電源２２を遮断する。これにより高周波電流の発生が停止され、超音波の発生が停止する構造になっている。
【００４０】
また、温度センサー制御回路３０と高周波発生制御回路２６を接続させ、超音波照射箇所が危険温度に達した時、高周波発生制御回路２６に信号を送り、高周波電流発生装置６が発生させる高周波電流の周波数及び出力を強制的に低減させ、超音波の周波数及び出力を低減させる構造であっても良い。
【００４１】
また、体脂肪測定センサー２０は、体脂肪測定センサー制御回路３２を介して電源制御回路２４と接続され、体脂肪測定センサー制御回路３２は、体脂肪測定センサー２０によって超音波の照射箇所の皮下脂肪層を測定する。
【００４２】
この体脂肪測定センサー制御回路３２と高周波発生制御回路２６と接続し、体脂肪測定センサー２０が測定した箇所の脂肪層に適した超音波を照射できるよう、高周波電流の周波数及び出力に関する信号を高周波発生制御回路２６に送る構造であっても良い。
【００４３】
次に、本発明に係る部分痩せ装置２の使用方法について説明する。本発明に係る部分痩せ装置２を使用する場合は、まず痩身効果を得たいと思う箇所にジェル剤３４を塗布する。このとき、体脂肪測定装置１８を用いて皮下脂肪層を測定すれば、優先的に超音波を照射する箇所が判断できる。
【００４４】
ジェル剤３４を塗布した後、超音波装置４の電源２２を入れ、超音波照射装置８の照射面をジェル剤３４が塗布された箇所に照射する。
【００４５】
このとき、超音波照射装置８の照射面側に設けられた体脂肪測定センサー２０によって、超音波照射箇所の皮下脂肪層が測定され、体脂肪測定センサー制御回路３２によって、その皮下脂肪層に対して最適条件の超音波の周波数及び出力が算出される。よって、部分痩せ装置２の使用者が自分で超音波の周波数及び出力を判断する必要がない。
【００４６】
超音波を照射し続けると、表面温度が上昇してくる。表面温度が予め設定された危険温度に達すると、超音波装置４内の温度センサー制御回路３０によって、高周波発生制御回路２６への電源２２が遮断され、自動的に超音波の照射が停止するか、又は、超音波装置４内の温度センサー１６制御回路３０によって、高周波発生制御回路２６へ信号が送られ、超音波の周波数及び出力が低減される。
【００４７】
また、超音波照射装置８にベルト状部材１０を使用した場合は、超音波を照射する箇所にジェル剤３４を塗布し、ベルト状部材１０を巻回して超音波装置４の電源２２を入れる。このとき、ベルト状部材１０の端部に設けられた係合部によって巻回状態を保持し、超音波照射面と身体に隙間が生じないよう注意する。
【００４８】
超音波を照射する時間は、約１０分位を目安にし、１日１回使用するのが好ましい。この範囲を逸脱して使用を続けると、超音波を照射した皮膚が火傷したり、内皮細胞を振るい落とす可能性があり、人体に悪影響を及ぼす危険性が高い。
【００４９】
【発明の効果】
本発明に係る部分痩せ装置は、超音波照射装置の照射面側に温度センサーを備えているため、超音波を照射している箇所の温度を常に監視することができ、危険な温度に達した時点で、超音波の照射を停止するか、又は、周波数及び出力を低減することができ、専門的な知識を有さないものであっても安全に使用することができる。
【００５０】
また、超音波照射装置の照射面側に体脂肪測定センサーを備えているため、超音波を照射する箇所の皮下脂肪層を測定し、その皮下脂肪層に効果的な周波数及び出力を超音波を照射することができ、効率良く痩身効果を得ることができる。
【００５１】
また、体脂肪測定センサーを備えているため、本発明に係る部分痩せ装置を使用する前と後の皮下脂肪層を簡単に測定することができるため、部分痩せ装置を使用した効果を簡単に認識することができる。
【００５２】
また、超音波照射装置が、ベルト状部材と、ベルト状部材に取り付けられた複数個の超音波照射装置とからなるため、広範囲において安全に且つ効率よく痩身効果を得ることができる。
【００５３】
また、本発明に係る部分痩せ装置は、超音波を照射する前に、ジェル剤を塗布し、このジェル剤にはトウガラシのエキス成分が含有されているため、ジェル剤によって超音波を照射する箇所の基礎代謝を亢進することができ、更に痩身効果を得ることができる。
【図面の簡単な説明】
【図１】本発明に係る部分痩せ装置の一実施の形態を示した回路図である。
【図２】本発明に係る部分痩せ装置の一実施の形態を示した説明図である。
【図３】本発明に係る超音波照射装置の照射面の一実施の形態を示した説明図である。
【図４】本発明に係る超音波照射装置の一実施の形態を示した説明図である。
【符号の説明】
２　　部分痩せ装置
４　　超音波装置
６　　高周波電流発生装置
８　　超音波照射装置
１０　ベルト状部材
１２　周波数調節装置
１４　温度測定装置
１６　温度センサー
１８　体脂肪測定装置
２０　体脂肪測定センサー
２２　電源
２４　電源制御回路
２６　高周波発生制御回路
２８　周波数制御回路
３０　温度センサー制御回路
３２　体脂肪測定センサー制御回路
３４　ジェル剤
【図１】
2004089261.tif 000003
【図２】
2004089261.tif 000004
【図３】
2004089261.tif 000005
【図４】
2004089261.tif 000006